(57)【要約】【課題】飛び出しを防ぎながら簡単な構成で容易にボタン電池を交換できる電子機器を提供する。【解決手段】電子機器１００は、ボタン電池１４０を着脱可能な装着部１５０と、装着部１５０を収容した内部空間１１１を画定する筐体１１０とを備える。筐体１１０が、筐体開口１１２を有する第１筐体１１５と、筐体開口１１２の少なくとも一部に着脱可能な第２筐体１２０とを含む。装着部１５０が、第１筐体１１５に対して固定されている。装着部１５０が、ボタン電池１４０の第１平坦面１４１と側面１４３とをそれぞれ部分的に囲っている。筐体開口１１２が、装着部１５０に装着されたボタン電池１４０の第１平坦面１４１を、第１平坦面１４１に垂直な方向からみて第１筐体１１５の外側に露出し、装着部１５０に装着されたボタン電池１４０の側面１４３を、側面１４３に垂直な方向からみて第１筐体１１５の外側に露出する。【選択図】図８
2018045771.tif 000002
【特許請求の範囲】
【請求項１】
ボタン電池を着脱可能な装着部と、
前記装着部を収容した内部空間を画定する筐体と、
を備え、
前記筐体が、
筐体開口を有する第１筐体と、
前記筐体開口の少なくとも一部に着脱可能な第２筐体と、
を含み、
前記装着部が、前記第１筐体に対して固定されており、
前記装着部が、前記ボタン電池の一方の平坦面と側面とをそれぞれ部分的に囲っており、
前記筐体開口が、
前記装着部に装着された前記ボタン電池の前記一方の平坦面を、前記一方の平坦面に垂直な第１方向からみて前記第１筐体の外側に露出し、
前記装着部に装着された前記ボタン電池の前記側面を、前記側面に垂直な第２方向からみて前記第１筐体の外側に露出する、
電子機器。
【請求項２】
前記装着部が、
前記ボタン電池を装着可能な装着空間と、
前記装着空間に対する前記ボタン電池の着脱時に前記ボタン電池を通す出入口と、
前記出入口から連続した補助口と、
を画定し、
前記出入口が、前記装着空間から前記第１方向に開口しており、
少なくとも１つの前記補助口が、前記装着空間から前記第１方向に略直交する前記第２方向に開口しており、
前記第２筐体を前記第１筐体から取り外した状態において前記少なくとも１つの補助口と前記出入口とを通して前記装着空間が前記筐体外に露出される位置に、前記筐体開口が位置している、
請求項１に記載の電子機器。
【請求項３】
前記装着空間が、前記第２方向において２つの前記補助口の間に位置する、
請求項１または請求項２に記載の電子機器。
【請求項４】
前記内部空間において前記第１筐体に対して固定された基板をさらに備え、
前記装着部が、前記基板に対して固定されており、
前記装着空間が、前記第１方向において前記出入口と前記基板との間に位置しており、
前記第１筐体が、押圧部を有し、
前記装着部の一部が、前記第１方向において前記押圧部と前記基板との間で前記押圧部と前記基板とに対して固定されている、
請求項１乃至請求項３に記載の電子機器。
【請求項５】
前記装着部が、
前記第１筐体に対して固定された基部と、
前記基部に対して固定された固定部と前記固定部に対して揺動可能な揺動部とを有する弾性変形可能な規制部と、
を含み、
前記揺動部が、前記装着空間に近づく方向と離れる方向とに揺動可能であり、
前記装着空間に前記ボタン電池を装着した状態において、前記揺動部と前記基部との間に前記ボタン電池の一部が配置され、
前記規制部の少なくとも一部が、前記第１方向から見たとき前記第１方向と前記第２方向とに略直交する第３方向において前記装着空間の外側に位置し、
前記押圧部が、前記第１方向から見たとき前記第３方向における前記装着空間の外側に位置し、
前記押圧部と前記規制部とが、前記第３方向における前記装着空間の両側のうち同じ側に位置する、
請求項４に記載の電子機器。
【請求項６】
前記第１筐体が、第１係合部を有し、
前記第２筐体が、前記第１係合部に係合する第２係合部を有し、
前記第１係合部と前記第２係合部とが、前記第１方向から見たとき前記第３方向における前記筐体開口の外側で、互いに係合し、
前記押圧部が、前記第１方向から見たとき前記第３方向における前記装着空間の外側に位置し、
前記押圧部と前記第１係合部とが、前記第３方向において前記装着空間の両側のうち同じ側に位置し、
前記第１筐体が、前記第１方向に直交する面内で前記筐体開口から離間する方向に向かって前記押圧部から広がる把持面を含む、
請求項４または請求項５に記載の電子機器。
【請求項７】
２つの前記押圧部を備え、
２つの前記押圧部の間に前記第１係合部が配置されている、
請求項６に記載の電子機器。
【請求項８】
前記装着部が、
前記第１筐体に対して固定された基部と、
前記基部に対して固定された固定部と前記固定部に対して揺動可能な揺動部とを有する弾性変形可能な規制部と、
を含み、
前記揺動部が、前記装着空間に近づく方向と離れる方向とに揺動可能であり、
前記装着空間に前記ボタン電池を装着した状態において、前記揺動部と前記基部との間に前記ボタン電池の一部が配置される、
請求項１乃至請求項４に記載の電子機器。
【請求項９】
前記第１筐体が、第１係合部を有し、
前記第２筐体が、前記第１係合部に係合する第２係合部を有し、
前記第１係合部と前記第２係合部とが、前記第１方向から見たとき前記第１方向と前記第２方向とに略直交する第３方向における前記筐体開口の外側で、互いに係合する、
請求項１乃至請求項５に記載の電子機器。
【発明の詳細な説明】
【技術分野】
【０００１】
本発明は、電子機器に関し、特に、電池を内蔵した電子機器に関するものである。
【背景技術】
【０００２】
センサなどの電子部品と共にボタン電池を内蔵した電子機器が知られている。ボタン電池は、寿命などの必要に応じて交換する必要がある。そのため、電子機器の筐体に対してボタン電池を交換可能に固定する構造が知られている。例えば、特許文献１に記載の電池ケースは、円筒状の収納穴をもつ筐体と、収納穴内に収納可能な円盤状のボタン電池と、収納穴の開口をふさぐ蓋と、収納穴内のボタン電池を開口に向けて弾性的に押圧するコイル状電極とを含む。特許文献１に記載の電池ケースでは、蓋を開けるとコイル状電極の弾性力によりボタン電池が開口に向けて押し出される。
【先行技術文献】
【特許文献】
【０００３】
【特許文献１】特開平１０−１８８９３０号公報
【発明の概要】
【発明が解決しようとする課題】
【０００４】
しかしながら、特許文献１の構造では、コイル状電極の弾性力により、蓋を開けたときにボタン電池が予期せず飛び出すという不利益がある。また、コイル状電極がなければ、ボタン電池の飛び出しを防ぐことができるが、指の入らない収納穴内のボタン電池を取り出すのに困難が伴うという不利益がある。すなわち、ボタン電池を押圧する部材がなければ、ボタン電池を取り出すのに困難が伴うという不利益がある。
【０００５】
本発明はかかる事情に鑑みてなされたものであり、その目的は、飛び出しを防ぎながら簡単な構成で容易にボタン電池を交換できる電子機器を提供することにある。
【課題を解決するための手段】
【０００６】
本発明は、ボタン電池を着脱可能な装着部と、装着部を収容した内部空間を画定する筐体と、を備え、筐体が、筐体開口を有する第１筐体と、筐体開口の少なくとも一部に着脱可能な第２筐体と、を含み、装着部が、第１筐体に対して固定されており、装着部が、ボタン電池の一方の平坦面と側面とをそれぞれ部分的に囲っており、筐体開口が、装着部に装着されたボタン電池の一方の平坦面を、一方の平坦面に垂直な第１方向からみて第１筐体の外側に露出し、装着部に装着されたボタン電池の側面を、側面に垂直な第２方向からみて第１筐体の外側に露出する、電子機器である。
【０００７】
この構成によれば、第１筐体に固定された装着部がボタン電池の一方の平坦面と側面とを部分的に囲うため、第１筐体から第２筐体を外してもボタン電池が飛び出さない。また、第１筐体から第２筐体を取り出した状態においてボタン電池の側面が部分的に露出するため、ボタン電池の一方の平坦面のみ露出する構成に比べてボタン電池を外しやすい。すなわち、飛び出しを防ぎながら容易にボタン電池を交換できる。
【０００８】
好適には本発明の電子機器において、装着部が、ボタン電池を装着可能な装着空間と、装着空間に対するボタン電池の着脱時にボタン電池を通す出入口と、出入口から連続した補助口と、を画定し、出入口が、装着空間から第１方向に開口しており、少なくとも１つの補助口が、装着空間から第１方向に略直交する第２方向に開口しており、第２筐体を第１筐体から取り外した状態において少なくとも１つの補助口と出入口とを通して装着空間が筐体外に露出される位置に、筐体開口が位置している。
【０００９】
この構成によれば、筐体外から筐体開口と少なくとも１つの補助口とを通して第２方向から装着空間内のボタン電池に触れることができるので、第１方向からのみボタン電池に触れる構成に比べて、ボタン電池を外しやすい。すなわち、飛び出しを防ぎながら簡単な構成で容易にボタン電池を交換できる。
【００１０】
好適には本発明の電子機器において、装着空間が、第２方向において２つの補助口の間に位置する。
【００１１】
この構成によれば、装着空間が、第２方向において２つの補助口の間に配置されているので、第２方向の両側からボタン電池をつまむことができ、安定した状態でボタン電池を外すことができる。
【００１２】
好適には本発明の電子機器において、内部空間において第１筐体に対して固定された基板をさらに備え、装着部が、基板に対して固定されており、装着空間が、第１方向において出入口と基板との間に位置しており、第１筐体が、押圧部を有し、装着部の一部が、第１方向において押圧部と基板との間で押圧部と基板とに対して固定されている。
【００１３】
この構成によれば、装着空間が出入口と基板との間に位置しており、装着部の一部が押圧部と基板との間に固定されているので、装着空間に装着されたボタン電池を第１方向に沿って基板から出入口に向けて動かしたとき、装着部と基板とを引き離す力が抑制される。従って、装着部と基板との配線の断線を防止することができる。
【００１４】
好適には本発明の電子機器において、装着部が、第１筐体に対して固定された基部と、基部に対して固定された固定部と固定部に対して揺動可能な揺動部とを有する弾性変形可能な規制部と、を含み、揺動部が、装着空間に近づく方向と離れる方向とに揺動可能であり、装着空間にボタン電池を装着した状態において、揺動部と基部との間にボタン電池の一部が配置され、規制部の少なくとも一部が、第１方向から見たとき第１方向と第２方向とに略直交する第３方向において装着空間の外側に位置し、押圧部が、第１方向から見たとき第３方向における装着空間の外側に位置し、押圧部と規制部とが、第３方向における装着空間の両側のうち同じ側に位置する。
【００１５】
この構成によれば、装着空間にボタン電池を装着した状態において、揺動部と基部との間にボタン電池の一部が配置されるので、ボタン電池が安定して固定される。さらに、揺動部をもつ規制部が弾性変形可能であるので、ボタン電池を取り外す時に、第１筐体に対して揺動部が揺動して、簡単にボタン電池を外すことができる。さらに、押圧部と規制部とが第３方向において装着空間の同じ側に位置するので、ボタン電池を取り外す時に規制部に加わる力による、装着部と基板とを引き離す力が抑制される。
【００１６】
好適には本発明の電子機器において、第１筐体が、第１係合部を有し、第２筐体が、第１係合部に係合する第２係合部を有し、第１係合部と第２係合部とが、第１方向から見たとき第３方向における筐体開口の外側で、互いに係合し、押圧部が、第１方向から見たとき第３方向における装着空間の外側に位置し、押圧部と第１係合部とが、第３方向において装着空間の両側のうち同じ側に位置し、第１筐体が、第１方向に直交する面内で筐体開口から離間する方向に向かって押圧部から広がる把持面を含む。
【００１７】
この構成によれば、第１係合部と第２係合部とは、第１方向から見たとき第３方向における開口の外側で、互いに係合するので、ボタン電池の着脱と補助口からのボタン電池へのアクセスとに関係しない空間を有効に利用することができる。さらに、把持面を押さえることで第１係合部と第２係合部との係合操作時に、装着部と基板とを離間する力を抑制することができる。
【００１８】
好適には本発明の電子機器において、２つの押圧部を備え、２つの押圧部の間に第１係合部が配置されている。
【００１９】
この構成によれば、２つの押圧部の間に第１係合部が配置されているので、押圧部が他の位置に配置されている場合に比べて、装着部と基板とを離間する力をより確実に抑制することができる。
【００２０】
好適には本発明の電子機器において、装着部が、第１筐体に対して固定された基部と、基部に対して固定された固定部と固定部に対して揺動可能な揺動部とを有する弾性変形可能な規制部と、を含み、揺動部が、装着空間に近づく方向と離れる方向とに揺動可能であり、装着空間にボタン電池を装着した状態において、揺動部と基部との間にボタン電池の一部が配置される。
【００２１】
この構成によれば、装着空間にボタン電池を装着した状態において、揺動部と基部との間にボタン電池の一部が配置されるので、ボタン電池が安定して固定される。さらに、揺動部をもつ規制部が弾性変形可能であるので、ボタン電池を取り外す時に、第１筐体に対して揺動部が揺動して、簡単にボタン電池を外すことができる。
【００２２】
好適には本発明の電子機器において、第１筐体が、第１係合部を有し、第２筐体が、第１係合部に係合する第２係合部を有し、第１係合部と第２係合部とが、第１方向から見たとき第１方向と第２方向とに略直交する第３方向における筐体開口の外側で、互いに係合する。
【００２３】
この構成によれば、第１係合部と第２係合部とは、第１方向から見たとき第１方向と第２方向とに略直交する第３方向における開口の外側で、互いに係合するので、ボタン電池の着脱と補助口からのボタン電池へのアクセスとに関係しない空間を有効に利用することができる。
【発明の効果】
【００２４】
本発明によれば、飛び出しを防ぎながら簡単な構成で容易にボタン電池を交換できる。
【図面の簡単な説明】
【００２５】
【図１】本発明の実施形態に係る電子機器のｚ１側から見た斜視図である。
【図２】図１に示す電子機器のｚ２側から見た斜視図である。
【図３】図１に示す電子機器のｚ１側から見た分解斜視図である。
【図４】図１に示す電子機器のｚ２側から見た分解斜視図である。
【図５】図１の５−５線を通る断面における電子機器の断面図である。
【図６】図１の６−６線を通る断面における電子機器の断面図である。
【図７】第２筐体を省略した図１に示す電子機器の側面図である。
【図８】第２筐体を省略した図１に示す電子機器の平面図である。
【図９】図３に示す装着部のｚ１側から見た斜視図である。
【図１０】図９と同じ断面における電子機器の断面図であり、第２筐体を部分的に外した状態を示す。
【図１１】図９と同じ断面における電子機器の断面図であり、第２筐体を省略し、ボタン電池を部分的に外した状態を示す。
【図１２】図９と同じ断面における電子機器の断面図であり、第２筐体を省略し、ボタン電池を部分的に挿入した状態を示す。
【発明を実施するための形態】
【００２６】
（全体構成）
以下、本発明の実施形態に係る電子機器について説明する。図１は、本実施形態の電子機器１００のｚ１側から見た斜視図である。図２は、電子機器１００のｚ２側から見た斜視図である。図３は、電子機器１００のｚ１側から見た分解斜視図である。図４は、電子機器１００のｚ２側から見た分解斜視図である。図５は、図１の５−５線を通る断面における電子機器１００の断面図である。図６は、図１の６−６線を通る断面における電子機器１００の断面図である。なお、図５と図６とにおいて、後述する基板１３０に搭載された電子部品は省略している。
【００２７】
本明細書において、互いに直交するｘ方向、ｙ方向、及びｚ方向を規定する。ｘ方向は、互いに逆を向くｘ１方向とｘ２方向とを区別せずに表す。ｙ方向は互いに逆を向くｙ１方向とｙ２方向とを区別せずに表す。ｚ方向は互いに逆を向くｚ１方向とｚ２方向とを区別せずに表す。また、ｚ２方向を下方向と呼び、ｚ１方向を上方向と呼ぶ場合がある。これらの方向は、相対的な位置関係を説明するために便宜上規定するのであって、実際の使用時の方向を限定するわけではない。構成要素の形状は、「略」という記載があるかないかにかかわらず、本明細書で開示された実施形態の技術思想が実現される限り、記載された表現に基づく厳密な幾何学的な形状に限定されない。
【００２８】
図３に示すように、電子機器１００は、筐体１１０と基板１３０と装着部１５０とボタン電池１４０とを含む。筐体１１０は、第１筐体１１５と第２筐体１２０とを含む。本実施形態の電子機器１００は、筐体１１０内のボタン電池１４０を電源として使用しながら、基板１３０に搭載された図示しないセンサを動作させて測定情報を含む情報を外部機器と通信する。
【００２９】
（第１筐体）
図３に示すように、第１筐体１１５は、第１部分筐体１６０と第２部分筐体１７０とを含む。
【００３０】
第１部分筐体１６０は、ｚ方向から見たときｘ方向に略平行な２辺とｙ方向に略平行な２辺とをもつ略長方形の外形をもつ板状の筐体底板１６１を含む。筐体底板１６１には、ｚ１側の面に、ｚ１方向に突出した複数の下リブ１６２が設けられている。第１部分筐体１６０は、さらに、筐体底板１６１の外周からｚ１方向に延びた下壁１６３を含む。下壁１６３は、ｚ１側に、ｘｙ平面に略平行な環状の上端縁１６４をもつ。
【００３１】
第１部分筐体１６０は、さらに、上端縁１６４のｘ１側の部分のうちｙ１側寄りの位置からｚ１方向に突出した第１係合環状部１６５−１と、上端縁１６４のｘ２側の部分のうちｙ１側寄りの位置からｚ１方向に突出した第２係合環状部１６５−２と、上端縁１６４のｙ２側の部分からｚ１方向に突出した第３係合環状部１６５−３とをもつ。第１係合環状部１６５−１には、ｘ方向に貫通した第１貫通孔１６６−１が設けられている。第２係合環状部１６５−２には、ｘ方向に貫通した第２貫通孔１６６−２が設けられている。第３係合環状部１６５−３には、ｙ方向に貫通した第３貫通孔１６６−３が設けられている。
【００３２】
第２部分筐体１７０は、ｚ方向から見たときｘ方向に略平行な２辺とｙ方向に略平行な２辺とをもつ略長方形の外形をもつ板状の第１上板部１７１をもつ。第１上板部１７１は、ｚ１側にｘｙ平面に略平行な把持面１７２をもつ。第１上板部１７１は、さらに、ｙ２側の端縁からｙ１側に向かって窪んだ第１係合部１７３をもつ。第１係合部１７３は、ｘ方向の略中央において第１上板部１７１をｚ方向に貫通している。
【００３３】
図４に示すように、第１上板部１７１のうち、第１係合部１７３のｘ１側の領域を第１押圧部１７１−１と呼び、第１係合部１７３のｘ２側の領域を第２押圧部１７１−２と呼ぶ。第１係合部１７３は、ｘ方向において第１押圧部１７１−１と第２押圧部１７１−２との間に配置されている。第１押圧部１７１−１は、ｚ２側の面からｚ２方向に隆起した第１隆起部１７４−１をもつ。第２押圧部１７１−２は、ｚ２側の面からｚ２方向に隆起した第２隆起部１７４−２をもつ。第１隆起部１７４−１と第２隆起部１７４−２とは、いずれも、第１上板部１７１のｙ２側の端縁からｙ１方向に延びている。第１上板部１７１は、さらに、ｚ２側の面からｚ２方向に延びた一続きの上リブ１７６をもつ。
【００３４】
第２部分筐体１７０は、さらに、第１上板部１７１の外周のうちｘ１側の端縁とｘ２側の端縁とｙ１側の端縁からｚ２方向に延びた第１上壁１７５を含む。第１上壁１７５は、ｚ２側に、ｘｙ平面に略平行なＵ字の第１下端縁１７７をもつ。図１に示すように、第１上壁１７５のｘ１側の部分には、ｘ１方向に突出した第１係合突起１７８−１が設けられている。図３に示すように、第１上壁１７５のｘ２側の部分には、ｘ２方向に突出した第２係合突起１７８−２が設けられている。
【００３５】
図５に示すように、第２部分筐体１７０は、第１部分筐体１６０のｚ１側に固定される。図１に示すように、第２部分筐体１７０は、ｘ方向において、第１係合環状部１６５−１と第２係合環状部１６５−２との間に固定される。第１部分筐体１６０のｘ方向の幅は、第２部分筐体１７０のｘ方向の幅と略同一である。第１係合突起１７８−１は、第１係合環状部１６５−１の第１貫通孔１６６−１にはめ込まれる。図２に示すように、第２係合突起１７８−２は、第２係合環状部１６５−２の第２貫通孔１６６−２にはめ込まれる。図５に示すように、第１下端縁１７７は、上端縁１６４に密着して固定される。第２部分筐体１７０のｙ方向の長さは、第１部分筐体１６０のｙ方向の長さの半分よりも短い。
【００３６】
（第２筐体）
図４に示すように、第２筐体１２０は、ｚ方向から見たときｘ方向に略平行な２辺とｙ方向に略平行な２辺とをもつ略長方形の外形をもつ板状の第２上板部１２１をもつ。第２上板部１２１のｚ２側の面には、ｚ２方向に環状に突出した環状押圧部１２２をもつ。環状押圧部１２２のｚ２側の端縁は、ｘｙ平面に略平行な略円である。第２筐体１２０は、さらに、第２上板部１２１のｙ１側の端縁からｙ１側に突出した第２係合部１２３をもつ。第２係合部１２３は、ｘ方向の略中央に位置している。第２係合部１２３は、図５に示す断面において、第２上板部１２１からｙ１方向に延びた後、さらにｚ２方向に延び、さらにｙ１方向に延びた形状である。
【００３７】
第２筐体１２０は、さらに、第２上板部１２１の外周のうちｘ１側の端縁とｘ２側の端縁とｙ２側の端縁からｚ２方向に延びた第２上壁１２５を含む。第２上壁１２５は、ｚ２側に、ｘｙ平面に略平行なＵ字の第２下端縁１２６をもつ。第２上壁１２５のｙ２側の部分には、ｙ２方向に突出した第３係合突起１２７が設けられている。
【００３８】
（第１筐体と第２筐体とのはめ合わせ）
図１に示すように、第１筐体１１５に第２筐体１２０をはめ込んだ状態において、第２筐体１２０は、第１部分筐体１６０のｚ１側、かつ、第２部分筐体１７０のｙ２側に固定される。ｙ方向において、第２筐体１２０は、第３係合環状部１６５−３と第２部分筐体１７０との間に固定される。第２筐体１２０のｙ方向の長さは、第１部分筐体１６０のｙ方向の長さよりも短く、かつ、第１部分筐体１６０のｙ方向の長さの半分よりも長い。第２筐体１２０と第２部分筐体１７０との全体のｙ方向の長さは、第１部分筐体１６０のｙ方向の長さと略同一である。
【００３９】
図６に示すように、第１筐体１１５に第２筐体１２０をはめ込んだ状態において、第２下端縁１２６は、上端縁１６４に密着して固定される。第２筐体１２０のｘ方向の幅は、第１部分筐体１６０のｘ方向の幅と略同一である。図５に示すように、第３係合突起１２７は、第３係合環状部１６５−３の第３貫通孔１６６−３にはめ込まれる。第２係合部１２３のｙ１側端部は、第１上板部１７１のｚ２側に位置し、第１上板部１７１に密着する。図１に示すように、ｚ１方向から見たとき、第２部分筐体１７０のｙ２側端縁と第１係合部１７３との全体の外形は、第２筐体１２０のｙ１側端縁と第２係合部１２３との全体の外形に略一致する。第１係合部１７３と第２係合部１２３とは、ｙ方向において、筐体開口１１２の外側で、互いに係合する。
【００４０】
図１に示すように、第１筐体１１５に第２筐体１２０をはめ込んだ状態において、第１筐体１１５と第２筐体１２０とは、固く固定される。第２部分筐体１７０の把持面１７２は、第２筐体１２０のｚ１側の面と略同一の平面内にある。筐体１１０は、全体として略直方体の外形をもつ。図５に示すように、筐体１１０は、全体として、ボタン電池１４０を着脱可能な装着部１５０を収容した略直方体の内部空間１１１を画定する。
【００４１】
図７は、第２筐体１２０（図１）を省略した電子機器１００の側面図である。図８は、第２筐体１２０（図１）を省略した電子機器１００の平面図である。図７と図８とに示すように、第１筐体１１５は、第１部分筐体１６０の上端縁１６４の一部と、第２部分筐体１７０のｙ２側の端縁によって画定される筐体開口１１２を有する。筐体開口１１２の全体を覆うように、図１に示す第２筐体１２０が着脱可能である。他の例において、第２筐体１２０は、筐体開口１１２の少なくとも一部に着脱可能であれば、他の形状であってもよい。
【００４２】
（基板）
図３に示すように、基板１３０は、ｘｙ平面に略平行な平板状の回路基板である。基板１３０のｚ１側の面はｘｙ平面に略平行である。基板１３０のｚ２側の面には、図４に示すように、温度センサや通信装置など、様々な電子部品が搭載されている。図５に示すように、基板１３０は、第１部分筐体１６０の複数の下リブ１６２と第２部分筐体１７０の上リブ１７６とにより、内部空間１１１内に固定されている。基板１３０は、第１部分筐体１６０の上端縁１６４よりもｚ２側に位置している。図６に示すように、基板１３０は、ｘ方向において、ｘ１寄りに配置されている。
【００４３】
（ボタン電池）
図３に示すボタン電池１４０は、ｘｙ平面に略平行でｚ１側に位置する略円形の第１平坦面１４１（図３）と、ｘｙ平面に略平行でｚ２側に位置する略円形の第２平坦面１４２（図４）と、第１平坦面１４１の外縁から第２平坦面１４２の外縁まで、ｚ方向につながった略円筒の側面１４３（図３及び図４）とを含む。ボタン電池１４０は、ｚ方向の厚さがｘ方向の幅とｙ方向の幅とより小さな扁平な形状をもつ。
【００４４】
図３に示す第１平坦面１４１と側面１４３とは、金属で形成されており、電気的に接続されている。図４に示す第２平坦面１４２は、金属で形成されており、第１平坦面１４１と側面１４３とから電気的に絶縁されている。第１平坦面１４１と側面１４３とが、正と負との一方の電極として機能し、第２平坦面１４２が、他方の電極として機能する。
【００４５】
（装着部）
図９は、装着部１５０の斜視図である。装着部１５０は、絶縁性の樹脂で作られた基部１５１と、金属製の基部電極１５２と、金属製の規制部１５３とを含む。
【００４６】
基部１５１は、ｘｙ平面に略平行に広がる平板状の底部１５１−１を含む。底部１５１−１は、ｚ１側の面の中央付近がｚ２方向に窪んだ窪み１５１−２を含む。
【００４７】
基部１５１は、さらに、第１壁部１５１−３と第２壁部１５１−４と第３壁部１５１−５とを含む。第１壁部１５１−３と第２壁部１５１−４とは、底部１５１−１のｙ１側端部からｚ１方向に延びており、ｘ方向に互いに離間している。第１壁部１５１−３は、第２壁部１５１−４のｘ１側に配置されている。第３壁部１５１−５は、底部１５１−１のｙ２側端部からｚ１方向に延びている。第３壁部１５１−５のｘ方向の幅は、第１壁部１５１−３と第２壁部１５１−４との全体のｘ方向の幅と略同一である。
【００４８】
図９に示すように、第１壁部１５１−３と第２壁部１５１−４と第３壁部１５１−５とは、互いに対向して装着空間１５４を画定している。装着空間１５４は、ｚ方向に延びる略円筒の空間の一部である。図９に示すように、第１壁部１５１−３と第２壁部１５１−４と第３壁部１５１−５との各ｚ１側端縁により、装着空間１５４のｚ１側端縁に出入口１５５が画定される。出入口１５５は、装着空間１５４からｚ１方向に開口している。
【００４９】
図９に示すように、第１壁部１５１−３のｘ１側端縁と第３壁部１５１−５のｘ１側端縁との間に、第１補助口１５６−１が画定される。第１補助口１５６−１は、出入口１５５のｘ１側端縁から底部１５１−１のｘ１側端縁までｚ方向に続いている。第１補助口１５６−１は、装着空間１５４からｘ１方向に開口している。第２壁部１５１−４のｘ２側端縁と第３壁部１５１−５のｘ２側端縁との間に、第２補助口１５６−２が画定される。第２補助口１５６−２は、出入口１５５のｘ２側端縁から底部１５１−１のｘ２側端縁までｚ方向に続いている。第２補助口１５６−２は、装着空間１５４からｘ２方向に開口している。
【００５０】
図９に示すように、電池係止部１５１−６は、第３壁部１５１−５のｚ１側端縁付近からｙ１方向に延びている。図８に示すように、電池係止部１５１−６は、ｘ方向において第１補助口１５６−１と第２補助口１５６−２との中間に位置する。
【００５１】
図９に示すように、基部電極１５２は、窪み１５１−２内に配置された金属製の環状部材である。基部電極１５２は、窪み１５１−２内に固定された固定端１５２−１と、窪み１５１−２からｚ１方向に離間した可動接点１５２−２とを含む。可動接点１５２−２は、固定端１５２−１よりもｙ１側に位置している。固定端１５２−１が固定された状態で、可動接点１５２−２がｚ方向に揺動可能である。可動接点１５２−２は、力を受けてない状態で底部１５１−１のｚ１側の面よりもｚ１方向に位置している。
【００５２】
規制部１５３は、ｘ方向において第１壁部１５１−３と第２壁部１５１−４との間に配置されている。規制部１５３は、弾性変形可能な金属板を折り曲げ加工することにより形成されている。規制部１５３は、立設部１５３−１と固定部１５３−２と揺動部１５３−３とを含む。
【００５３】
立設部１５３−１は、ｙ方向に薄く、ｘ方向において第１壁部１５１−３と第２壁部１５１−４との間に延びており、ｚ方向において底部１５１−１のｙ１側端縁から出入口１５５付近まで延びている。固定部１５３−２は、ｚ方向に薄く、ｘｙ平面に略平行に広がっており、立設部１５３−１のｚ２側端縁からｙ１方向に延びている。立設部１５３−１のｘ１側端部のうち固定部１５３−２に近い部分と、固定部１５３−２のｘ１側端部のうち固定部１５３−２に近い部分とは、いずれも、第１壁部１５１−３に固定されている。立設部１５３−１のｘ２側端部のうち固定部１５３−２に近い部分と、固定部１５３−２のｘ２側端部のうち固定部１５３−２に近い部分とは、いずれも、第２壁部１５１−４に固定されている。
【００５４】
揺動部１５３−３は、ｚ方向に薄く、ｘｙ平面に略平行に広がっており、立設部１５３−１のｚ１側端縁からｙ２方向に延びている。揺動部１５３−３は、固定部１５３−２に対してｙ方向に揺動可能である。すなわち、揺動部１５３−３は、装着空間１５４に近づく方向と離れる方向とに揺動可能である。揺動部１５３−３は、ｚ方向にもわずかに弾性変形する。
【００５５】
（装着部と他の構成要素との関係）
図５に示すように、底部１５１−１のｚ２側の面は、基板１３０のｚ１側の面に固定されている。すなわち、装着部１５０は、第１筐体１１５に対して固定されている。出入口１５５は、装着空間１５４に対するボタン電池１４０の着脱時に、ボタン電池１４０を通す役割を果たす。図８に示すように、ｚ方向から見たとき、装着空間１５４の外形は、ボタン電池１４０の外形と略同一であり、さらに、出入口１５５の外形と略同一である。図５に示すように、装着空間１５４は、ｚ方向において出入口１５５と基板１３０との間に位置している。
【００５６】
図８に示すように、規制部１５３の少なくとも一部が、ｚ方向から見たとき、ｙ方向における装着空間１５４の外側に位置する。第１押圧部１７１−１と第２押圧部１７１−２とが、ｚ方向から見たときｙ方向における装着空間１５４の外側に位置する。第１押圧部１７１−１と第２押圧部１７１−２と規制部１５３とが、ｙ方向における装着空間１５４の両側のうち同じ側（すなわち、ｙ１側）に位置する。第１押圧部１７１−１と第２押圧部１７１−２と第１係合部１７３とが、ｙ方向において装着空間１５４の同じ側（すなわち、ｙ１側）に位置する。把持面１７２は、ｘｙ平面内で筐体開口１１２から離間する方向（すなわち、ｙ１方向）に向かって第１押圧部１７１−１と第２押圧部１７１−２とから広がる。
【００５７】
（ボタン電池と他の構成要素との関係）
図９に示す装着空間１５４には、図８に示すように、ボタン電池１４０が装着可能である。まず、装着部１５０にボタン電池１４０が装着されている状態について説明する。
【００５８】
図５に示すように、ボタン電池１４０の第１平坦面１４１には、第２筐体１２０の環状押圧部１２２が接触している。ボタン電池１４０は、ｚ方向において、環状押圧部１２２と底部１５１−１との間に固定されている。ボタン電池１４０のｙ２側端部は、ｚ方向において、電池係止部１５１−６と底部１５１−１との間で固定される。基部電極１５２が弾性変形することにより、可動接点１５２−２がボタン電池１４０の第２平坦面１４２に電気的に接触した状態で、基部電極１５２の全体が窪み１５１−２内に収容される。基部電極１５２は、ボタン電池１４０の一方の電極を、図示しない配線により基板１３０の回路部品に電気的に接続する。
【００５９】
図６に示すように、装着部１５０の基部１５１の一部である第１壁部１５１−３が、ｚ方向において第１押圧部１７１−１と基板１３０との間で、第１押圧部１７１−１と基板１３０とに対して固定されている。装着部１５０の基部１５１の一部である第２壁部１５１−４が、ｚ方向において第２押圧部１７１−２と基板１３０との間で、第２押圧部１７１−２と基板１３０とに対して固定されている。
【００６０】
図８に示すように、第１壁部１５１−３と第２壁部１５１−４と第３壁部１５１−５とは、ボタン電池１４０の側面１４３に近接または接触している。第１補助口１５６−１からボタン電池１４０がｘ１方向に突出している。第２補助口１５６−２からボタン電池１４０がｘ２方向に突出している。第１補助口１５６−１のｙ方向の幅と、第２補助口１５６−２のｙ方向の幅とは、いずれも、ボタン電池１４０の直径より小さい。従って、第１補助口１５６−１と第２補助口１５６−２との間の装着空間１５４に装着された状態で、ボタン電池１４０は、第１補助口１５６−１と第２補助口１５６−２とのいずれからも外に出ない。
【００６１】
図５に示すように、装着部１５０が、ボタン電池１４０の一方の第１平坦面１４１と側面１４３とをそれぞれ部分的に囲っている。ボタン電池１４０のｙ１側端部は、ｚ方向において、揺動部１５３−３と基部１５１との間に位置する。規制部１５３の立設部１５３−１は、揺動部１５３−３をボタン電池１４０に向けて押す弾性力によりボタン電池１４０の側面１４３に電気的に接触している。規制部１５３は、ボタン電池１４０の他方の電極を基板１３０の回路部品に電気的に接続する。
【００６２】
次に、図７に示すように、第２筐体１２０を第１筐体１１５から取り外した状態について説明する。筐体開口１１２は、装着部１５０に装着されたボタン電池１４０の第１平坦面１４１を、ｚ１方向において第１筐体１１５の外側に露出する。筐体開口１１２は、装着部１５０に装着されたボタン電池１４０の側面１４３を、ｘ方向において第１筐体１１５の外側に露出する。第１補助口１５６−１と第２補助口１５６−２と出入口１５５とを通して装着空間１５４が筐体１１０外に露出される位置に、筐体開口１１２が位置している。
【００６３】
（第２筐体の取り外し方）
作業者は、図１０に示す把持面１７２と筐体底板１６１のｚ２側の面とを押さえることにより、第１筐体１１５を指でｚ方向に挟む。次に、第２筐体１２０の第１係合部１７３と第２係合部１２３との係合を保ったまま、第１筐体１１５の第３係合突起１２７を、第２筐体１２０の第３係合環状部１６５−３の第３貫通孔１６６−３から外す。次に、第１係合部１７３と第２係合部１２３との接触点を支点として、図１０に示すように、第２筐体１２０のうち第３係合突起１２７側の部分を上に持ち上げる。次に、第１係合部１７３と第２係合部１２３とを離すことにより、第２筐体１２０が第１筐体１１５とから外れる。
【００６４】
（ボタン電池の外し方）
作業者は、図１１に示す把持面１７２と筐体底板１６１のｚ２側の面とを押さえることにより、第１筐体１１５を指でｚ方向に挟む。図８に示す筐体開口１１２と第１補助口１５６−１と第２補助口１５６−２とを通じて指を入れ、さらに、ボタン電池１４０をｘ方向に指で挟んだまま、ボタン電池１４０をｚ１方向に持ち上げる。すると、図１１に示すように、ボタン電池１４０のｙ２側の端部が電池係止部１５１−６と底部１５１−１との間に挟まれたまま、ボタン電池１４０のｙ１側の端部がｚ１方向に持ち上がる。
【００６５】
規制部１５３は、第３壁部１５１−５と電池係止部１５１−６とよりも変形しやすく形成されている。そのため、ボタン電池１４０のうち規制部１５３に近い部分が、先にｚ１方向に持ち上がる。指で把持面１７２と筐体底板１６１のｚ２側の面とをｚ方向に押さえているので、基部１５１と基板１３０とが、第１押圧部１７１−１と第１部分筐体１６０との間で固定される。従って、ボタン電池１４０を取り外すときの力により、装着部１５０と基板１３０とが引きはがされにくい。次に、ボタン電池１４０のｙ２側の端部を基部１５１から離すことにより、ボタン電池１４０が電子機器１００から外れる。
【００６６】
（ボタン電池の取り付け方）
作業者は、図１２に示すように、ボタン電池１４０をｘ方向に指で挟んだまま、ボタン電池１４０のｙ１側の端部を規制部１５３の揺動部１５３−３と底部１５１−１との間に挿入する。次に、ボタン電池１４０のｙ２側端部をｚ２方向に押す。すると、規制部１５３と電池係止部１５１−６と第３壁部１５１−５とが変形することにより、図７に示すように、ボタン電池１４０が装着空間１５４内に装着される。
【００６７】
（第２筐体の取り付け方）
作業者は、例えば、図１０に示す把持面１７２と筐体底板１６１のｚ２側の面とを押さえることにより、第１筐体１１５を指でｚ方向に挟む。次に、第１係合部１７３と第２係合部１２３とを係合させる。次に、第２筐体１２０の第３係合突起１２７を、第１筐体１１５の第３係合環状部１６５−３の第３貫通孔１６６−３にはめ込む。指で把持面１７２と筐体底板１６１のｚ２側の面とをｚ方向に押さえているので、基部１５１と基板１３０とが、第１押圧部１７１−１と第１部分筐体１６０との間で固定される。従って、装着部１５０と基板１３０とが引きはがされにくい。
【００６８】
（まとめ）
本実施形態によれば、第１筐体１１５に固定された装着部１５０がボタン電池１４０の一方の平坦面と側面１４３とを部分的に囲うため、第１筐体１１５から第２筐体１２０を外してもボタン電池１４０が飛び出さない。また、第１筐体１１５から第２筐体１２０を取り出した状態においてボタン電池１４０の側面１４３が部分的に露出するため、ボタン電池１４０の一方の平坦面のみ露出する構成に比べてボタン電池１４０を外しやすい。すなわち、飛び出しを防ぎながら容易にボタン電池１４０を交換できる。
【００６９】
本実施形態によれば、筐体１１０外から筐体開口１１２と第１補助口１５６−１と第２補助口１５６−２とを通してｘ方向から装着空間１５４内のボタン電池１４０に触れることができるので、ｚ方向からのみボタン電池１４０に触れる構成に比べて、ボタン電池１４０を外しやすい。すなわち、飛び出しを防ぎながら簡単な構成で容易にボタン電池１４０を交換できる。
【００７０】
本実施形態によれば、装着空間１５４が、ｘ方向において第１補助口１５６−１と第２補助口１５６−２との間に配置されているので、ｘ方向の両側からボタン電池１４０をつまむことができ、安定した状態でボタン電池１４０を外すことができる。
【００７１】
本実施形態によれば、装着空間１５４が出入口１５５と基板１３０との間に位置しており、装着部１５０の一部が第１押圧部１７１−１と基板１３０との間に固定され、さらに第２押圧部１７１−２と基板１３０との間に固定されているので、装着空間１５４に装着されたボタン電池１４０をｚ方向に沿って基板１３０から出入口１５５に向けて動かしたとき、装着部１５０と基板１３０とを引き離す力が抑制される。従って、装着部１５０と基板１３０との配線の断線を防止することができる。
【００７２】
本実施形態によれば、装着空間１５４にボタン電池１４０を装着した状態において、揺動部１５３−３と基部１５１との間にボタン電池１４０の一部が配置されるので、ボタン電池１４０が安定して固定される。さらに、揺動部１５３−３をもつ規制部１５３が弾性変形可能であるので、ボタン電池１４０を取り外す時に、第１筐体１１５に対して揺動部１５３−３が揺動して、簡単にボタン電池１４０を外すことができる。さらに、第１押圧部１７１−１と第２押圧部１７１−２と規制部１５３とがｙ方向において装着空間１５４の同じ側に位置するので、ボタン電池１４０を取り外す時に規制部１５３に加わる力による、装着部１５０と基板１３０とを引き離す力が抑制される。
【００７３】
本実施形態によれば、第１係合部１７３と第２係合部１２３とは、ｚ方向から見たときｚ方向とｘ方向とに略直交するｙ方向における開口の外側で、互いに係合するので、ボタン電池１４０の着脱と第１補助口１５６−１と第２補助口１５６−２とからのボタン電池１４０へのアクセスとに関係しない空間を有効に利用することができる。さらに、把持面１７２を押さえることで第１係合部１７３と第２係合部１２３との係合操作時に、装着部１５０と基板１３０とを離間する力を抑制することができる。
【００７４】
本実施形態によれば、第１押圧部１７１−１と第２押圧部１７１−２との間に第１係合部１７３が配置されているので、第１押圧部１７１−１と第２押圧部１７１−２とが他の位置に配置されている場合に比べて、装着部１５０と基板１３０とを離間する力をより確実に抑制することができる。
【００７５】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００７６】
本発明は、ボタン電池を内蔵した電子機器、例えば、センサとボタン電池とを内蔵した電子機器に適用可能である。
【符号の説明】
【００７７】
１００…電子機器、１１０…筐体、１１１…内部空間、１１２…筐体開口
１１５…第１筐体、１２０…第２筐体、１２３…第２係合部、１３０…基板
１４０…ボタン電池、１４１…第１平坦面、１４２…第２平坦面、１４３…側面
１５０…装着部、１５１…基部、１５３…規制部、１５４…装着空間
１５５…出入口、１５６−１…第１補助口、１５６−２…第２補助口
１７１−１…第１押圧部、１７１−２…第２押圧部、１７２…把持面
１７３…第１係合部
【図１】
2018045771.tif 000003
【図２】
2018045771.tif 000004
【図３】
2018045771.tif 000005
【図４】
2018045771.tif 000006
【図５】
2018045771.tif 000007
【図６】
2018045771.tif 000008
【図７】
2018045771.tif 000009
【図８】
2018045771.tif 000010
【図９】
2018045771.tif 000011
【図１０】
2018045771.tif 000012
【図１１】
2018045771.tif 000013
【図１２】
2018045771.tif 000014